(57)【特許請求の範囲】
【請求項１】
入力端子を介して入力した電圧を測定する電圧測定部と、前記入力端子を介して入力した電流を測定する電流測定部と、切替え操作に応じて前記入力端子と前記各測定部との接続および非接続を切り替える切替え部とを備えた測定装置であって、
測定対象体に対する所定電圧以上の電圧供給状態を非接触で検出する非接触型の検出部と、前記切替え部によって前記入力端子と前記電流測定部とが切り替え接続されている状態において前記検出部によって前記電圧供給状態が検出されたときに当該入力端子と当該電流測定部との接続を遮断する第１遮断処理を実行する遮断部とを備えている測定装置。
【請求項２】
前記遮断部によって前記第１遮断処理が実行されたときにその旨を報知する第１報知部を備えている請求項１記載の測定装置。
【請求項３】
前記遮断部は、前記第１遮断処理を実行した後に前記検出部によって前記所定電圧以上の電圧供給状態が非検出となったときに、前記入力端子と前記電流測定部との接続を復帰させる請求項１または２記載の測定装置。
【請求項４】
前記遮断部は、前記第１遮断処理を実行した後に所定の指示操作がされたときに、前記入力端子と前記電流測定部との接続を復帰させると共に前記第１遮断処理の実行を停止する請求項１から３のいずれかに記載の測定装置。
【請求項５】
抵抗測定用信号を出力する信号出力部を備え、
前記切替え部は、切替え操作に応じて前記入力端子と前記信号出力部との接続および非接続を切り替え可能に構成され、
前記遮断部は、前記切替え部によって前記入力端子と前記信号出力部とが切り替え接続されている状態において前記検出部によって前記所定電圧以上の電圧供給状態が検出されたときに当該入力端子と当該信号出力部との接続を遮断する第２遮断処理を実行する請求項１から４のいずれかに記載の測定装置。
【請求項６】
前記遮断部によって前記第２遮断処理が実行されたときにその旨を報知する第２報知部を備えている請求項５記載の測定装置。
【請求項７】
前記遮断部は、前記第２遮断処理を実行した後に前記検出部によって前記所定電圧以上の電圧供給状態が非検出となったときに、前記入力端子と前記信号出力部との接続を復帰させる請求項５または６記載の測定装置。
【発明の詳細な説明】
【技術分野】
【０００１】
本発明は、入力端子を介して入力した電圧を測定する電圧測定部と、入力端子を介して入力した電流を測定する電流測定部と、切替え操作に応じて入力端子と各測定部との接続および非接続を切り替える切替え部とを備えた測定装置に関するものである。
【背景技術】
【０００２】
この種の測定装置として、特開平５−２４９１４２号公報に開示されているデジタルテスタが知られている。このデジタルテスタは、デジタル表示面、測定切替スイッチ等が組み込まれたテスタ本体と、テスタ本体に接続される測定プローブ等を備えて、測定対象体（被測定回路や部品）についての電圧、電流、抵抗等のパラメータを測定可能に構成されている。このデジタルテスタを用いて測定対象体についての上記のパラメータを測定する際には、測定切替スイッチを操作して測定パラメータを設定する。次いで、測定プローブの先端を測定対象体の被接触部位に接触させる。この際に、測定値がデジタル表示面に表示される。
【特許文献１】特開平５−２４９１４２号公報（第２頁、第１図）
【発明の開示】
【発明が解決しようとする課題】
【０００３】
ところが、従来のデジタルテスタには、以下の問題点がある。すなわち、このデジタルテスタを含むこの種のデジタルテスタでは、電圧測定を意図して測定切替スイッチを操作した際に、誤って「電流測定」や「抵抗測定」を選択して、その状態で所定値以上の電圧が供給されている測定対象体にプローブを接触させたときには、過大な電流が流れて、電流測定部や抵抗測定用定電流を出力する電源部などの内部回路が故障するおそれがある。また、抵抗測定を意図してプローブを接触させた測定対象体に対して所定値以上の電圧が供給されているときにも、電源部などの内部回路が故障するおそれがある。この場合、このような事態を回避するために内部回路を保護する保護用ヒューズを備えた構成も知られているが、この構成では、ヒューズ交換が煩雑であるという課題が存在する。
【０００４】
本発明は、かかる問題点に鑑みてなされたものであり、電流測定部や信号出力部等の内部回路の故障を確実に防止し得る測定装置を提供することを主目的とする。
【課題を解決するための手段】
【０００５】
上記目的を達成すべく請求項１記載の測定装置は、入力端子を介して入力した電圧を測定する電圧測定部と、前記入力端子を介して入力した電流を測定する電流測定部と、切替え操作に応じて前記入力端子と前記各測定部との接続および非接続を切り替える切替え部とを備えた測定装置であって、測定対象体に対する所定電圧以上の電圧供給状態を非接触で検出する非接触型の検出部と、前記切替え部によって前記入力端子と前記電流測定部とが切り替え接続されている状態において前記検出部によって前記電圧供給状態が検出されたときに当該入力端子と当該電流測定部との接続を遮断する第１遮断処理を実行する遮断部とを備えている。
【０００６】
また、請求項２記載の測定装置は、請求項１記載の測定装置において、前記遮断部によって前記第１遮断処理が実行されたときにその旨を報知する第１報知部を備えている。
【０００７】
また、請求項３記載の測定装置は、請求項１または２記載の測定装置において、前記遮断部は、前記第１遮断処理を実行した後に前記検出部によって前記所定電圧以上の電圧供給状態が非検出となったときに、前記入力端子と前記電流測定部との接続を復帰させる。
【０００８】
また、請求項４記載の測定装置は、請求項１から３のいずれかに記載の測定装置において、前記遮断部は、前記第１遮断処理を実行した後に所定の指示操作がされたときに、前記入力端子と前記電流測定部との接続を復帰させると共に前記第１遮断処理の実行を停止する。
【０００９】
また、請求項５記載の測定装置は、請求項１から４のいずれかに記載の測定装置において、抵抗測定用信号を出力する信号出力部を備え、前記切替え部は、切替え操作に応じて前記入力端子と前記信号出力部との接続および非接続を切り替え可能に構成され、前記遮断部は、前記切替え部によって前記入力端子と前記信号出力部とが切り替え接続されている状態において前記検出部によって前記所定電圧以上の電圧供給状態が検出されたときに当該入力端子と当該信号出力部との接続を遮断する第２遮断処理を実行する。
【００１０】
また、請求項６記載の測定装置は、請求項５記載の測定装置において、前記遮断部によって前記第２遮断処理が実行されたときにその旨を報知する第２報知部を備えている。
【００１１】
また、請求項７記載の測定装置は、請求項５または６記載の測定装置において、前記遮断部は、前記第２遮断処理を実行した後に前記検出部によって前記所定電圧以上の電圧供給状態が非検出となったときに、前記入力端子と前記信号出力部との接続を復帰させる。
【発明の効果】
【００１２】
請求項１記載の測定装置によれば、測定対象体に対する所定電圧以上の電圧供給状態を非接触で検出する非接触型の検出部と、切替え部によって入力端子と電流測定部とが切り替え接続されている状態において検出部によって所定電圧以上の電圧供給状態が検出されたときに入力端子と電流測定部との接続を遮断する第１遮断処理を実行する遮断部とを備えたことにより、例えば、電圧測定を意図していたにも拘わらず誤操作によって測定装置を電流測定モードに設定した使用者が、そのことを認識していなかったとしても、所定電圧以上の電圧が供給されている測定対象体にその測定装置を近付けた際に入力端子と電流測定部との接続を自動的にしかも確実に遮断させることができる。したがって、この測定装置によれば、このような誤操作を行ったとしても、過大な電流が流れることによって電流測定部が故障する事態を確実に防止することができる。
【００１３】
また、請求項２記載の測定装置によれば、遮断部によって第１遮断処理が実行されたときにその旨を報知する第１報知部を備えたことにより、例えば、電圧測定モードの設定を意図して行った切替え操作の際に、誤って電流測定モードに設定した使用者に対して、その旨を確実に認識させることができる。また、測定装置を電流測定モードに設定した状態において、所定電圧以上の電圧が測定対象体に供給されている旨を使用者に対して確実に認識させることができる。
【００１４】
また、請求項３記載の測定装置によれば、遮断部が、第１遮断処理を実行した後に検出部によって所定電圧以上の電圧供給状態が非検出となったときに、入力端子と電流測定部との接続を復帰させることにより、特別な操作を行うことなく測定装置を測定対象体から遠ざけるだけで両者の接続を復帰させて電流測定を再開することができるため、操作性を十分に向上させることができる。
【００１５】
また、請求項４記載の測定装置によれば、遮断部が、第１遮断処理を実行した後に所定の指示操作がされたときに、入力端子と電流測定部との接続を復帰させると共に第１遮断処理の実行を停止することにより、指示操作を行うことで、所定電圧以上の電圧が供給されている測定対象体に流れる電流を測定することができる。
【００１６】
また、請求項５記載の測定装置によれば、遮断部が、入力端子と信号出力部とを接続している状態において測定対象体に対する所定電圧以上の電圧供給状態が検出されたときに入力端子と信号出力部との接続を遮断する第２遮断処理を実行することにより、例えば、電圧測定を意図していたにも拘わらず誤操作によって測定装置を抵抗測定モードに設定した使用者が、そのことを認識していなかったり、抵抗測定を意図して測定装置を抵抗測定モードに設定した使用者が、測定対象体に電圧が供給されていることを認識していなかったりしたとしても、所定電圧以上の電圧が供給されている測定対象体にその測定装置を近付けた際に入力端子と信号出力部との接続を自動的にしかも確実に遮断させることができる。したがって、この測定装置によれば、このような状況において、過大な電流が流れることによって信号出力部等の内部回路が故障する事態を確実に防止することができる。
【００１７】
また、請求項６記載の測定装置によれば、遮断部によって第２遮断処理が実行されたときにその旨を報知する第２報知部を備えたことにより、例えば、電圧測定モードの設定を意図して行った切替え操作の際に、誤って抵抗測定モードに設定した使用者に対して、その旨を確実に認識させることができる。また、測定装置を抵抗測定モードに設定した状態において、所定電圧以上の電圧が測定対象体に供給されている旨を使用者に対して確実に認識させることができる。
【００１８】
また、請求項７記載の測定装置によれば、第２遮断処理を実行した後に検出部によって所定電圧以上の電圧供給状態が非検出となったときに入力端子と信号出力部との接続を復帰させることにより、特別な操作を行うことなく測定装置を測定対象体から遠ざけるだけで両者の接続を復帰させて抵抗測定を再開することができるため、操作性を十分に向上させることができる。
【発明を実施するための最良の形態】
【００１９】
以下、本発明に係る測定装置の最良の形態について、添付図面を参照して説明する。
【００２０】
最初に、テスタ１の構成について説明する。図１に示すテスタ１は、本発明に係る測定装置の一例であって、測定対象体（例えば、同図および図３，４に示す測定対象体１００ａ）に供給されている電圧Ｖ、測定対象体（例えば、図５に示す測定対象体１００ｂ）に流れている電流Ｉ、および測定対象体（例えば、図６，７に示す測定対象体１００ｃ：以下、各測定対象体１００ａ，１００ｂ，１００ｃを区別しないときには「測定対象体１００」ともいう）の抵抗を測定可能に構成されている。具体的には、テスタ１は、図１に示すように、本体部２およびプローブ３，３を備えて構成されている。本体部２は、図２に示すように、電圧測定部１１、電流測定部１２、電源部１３、操作部１４、検出部１５、遮断部１６、表示部１７および制御部１８を備えて構成されている。また、図１に示すように、本体部２の正面パネルには、プローブ３，３の端子（プラグ）３ａ，３ａを接続可能な入力端子（ジャック）１９，１９が配設されている。
【００２１】
電圧測定部１１は、例えば、アナログ−デジタル変換回路および増幅回路などを備えて構成されて、入力端子１９，１９を介して入力する電圧Ｖを測定して測定データＤｖを出力する。電流測定部１２は、例えば、アナログ−デジタル変換回路および増幅回路などを備えて構成されて、入力端子１９，１９を介して入力した電流Ｉを測定して測定データＤｉを出力する。電源部１３は、本発明における信号出力部に相当し、測定対象体１００の抵抗測定の際に用いられる測定用の定電流Ｉｍ（本発明における抵抗測定用信号の一例）を出力する。
【００２２】
操作部１４は、切替え部２１（図２参照）、電源ボタン２２ａおよび解除ボタン２２ｂ（図１参照：以下、両ボタン２２ａ，２２ｂを区別しないときには「操作ボタン２２」ともいう）を備えて構成されている。切替え部２１は、本体部２の正面パネルに配設された操作ダイヤル２１ａ（同図参照）を備えて、操作ダイヤル２１ａの切替え操作に応じて入力端子１９，１９と電圧測定部１１との接続および非接続、並びに入力端子１９，１９と電流測定部１２との接続および非接続を切り替える。また、切替え部２１は、操作ダイヤル２１ａの切替え操作に応じて入力端子１９，１９と電源部１３との接続および非接続を切り替える。さらに、切替え部２１は、測定モードを切り替えるモード切替えスイッチとしても機能し、操作ダイヤル２１ａの切替え操作に応じてモード切替え用の操作信号Ｓｏを制御部１８に出力する。各操作ボタン２２は、本体部２の正面パネルに配設されている。この場合、操作部１４は、操作ボタン２２が操作されたときにその操作ボタン２２に対応する操作信号Ｓｏを出力する。
【００２３】
検出部１５は、例えば、非接触型の電圧検出センサ、および増幅回路を備えて構成され、測定対象体１００に１０Ｖ（本発明における所定電圧の一例）以上の交流または直流の電圧Ｖが供給されているときに、測定対象体１００との間の静電容量に基づいてその電圧Ｖを非接触で検出して検出信号Ｓｄを出力する。つまり、検出部１５は、測定対象体１００に対する所定電圧以上の電圧供給状態を検出する。この場合、検出部１５は、図１に示すように、本体部２の先端部（同図における上側端部）に配設されている。
【００２４】
遮断部１６は、図２に示すように、入力端子１９，１９と切替え部２１との間に配置されている。この場合、遮断部１６は、切替え部２１によって入力端子１９，１９と電流測定部１２とが接続されている状態において検出部１５によって測定対象体１００に対する所定電圧以上の電圧供給状態が検出されたとき（検出部１５から検出信号Ｓｄが出力されたとき）に入力端子１９，１９と電流測定部１２との接続を遮断する第１遮断処理を実行する。また、遮断部１６は、切替え部２１によって入力端子１９，１９と電源部１３とが接続されている状態において検出部１５によって測定対象体１００に対する所定電圧以上の電圧供給状態が検出されたときに入力端子１９，１９と電源部１３との接続を遮断する第２遮断処理（以下、第１遮断処理と第２遮断処理とを区別しないときには単に「遮断処理」ともいう）を実行する。また、遮断部１６は、遮断処理を実行した際に、その旨を示す電気信号（遮断処理実行信号）Ｓｉを制御部１８に出力する。また、遮断部１６は、遮断処理を実行した後に、検出部１５によって所定電圧以上の電圧供給状態が非検出となったときに（言い替えれば測定対象体１００における電圧供給状態の検出が停止したときに）、入力端子１９，１９と電流測定部１２との遮断状態、および入力端子１９，１９と電源部１３との遮断状態を解除する（つまり接続を復帰させる）。この場合、遮断部１６は、遮断状態を解除した際に、その旨を示す電気信号（遮断解除信号）Ｓｉを制御部１８に出力する。
【００２５】
さらに、遮断部１６は、第１遮断処理を実行した後に、操作部１４の解除ボタン２２ｂが操作されたときに（解除ボタン２２ｂに対応する操作信号Ｓｏが出力されたときに）、入力端子１９，１９と電流測定部１２との遮断状態を解除する（つまり両者の接続を復帰させる）と共に、操作部１４の操作ダイヤル２１ａまたは解除ボタン２２ｂの再操作が行われるまで第１遮断処理の実行を停止する。この場合、遮断部１６は、第１遮断処理の実行を停止したときに、その旨を示す電気信号（第１遮断処理停止信号）Ｓｉを制御部１８に出力する。表示部１７は、図１に示すように、本体部２の正面パネルに配設されて、制御部１８から出力される表示データＤｄを入力して、各種の測定値や、後述する報知用の文字を表示する。
【００２６】
制御部１８は、切替え部２１から出力される操作信号Ｓｏに従って測定モードの切り替え（設定）を行う。この場合、制御部１８は、測定モードを電圧測定モードに設定している状態において、電圧測定部１１から出力される測定データＤｖに基づいて電圧値表示用の表示データＤｄを出力することにより、表示部１７に電圧Ｖの測定値を表示させる。また、制御部１８は、測定モードを電流測定モードに設定している状態において、電流測定部１２から出力される測定データＤｉに基づいて電流値表示用の表示データＤｄを出力することにより、表示部１７に電流Ｉの測定値を表示させる。さらに、制御部１８は、測定モードを抵抗測定モードに設定している状態において、電圧測定部１１から出力される測定データＤｖ、および電源部１３から出力される測定用の定電流Ｉｍの値に基づいて抵抗を演算（測定）すると共に、抵抗値表示用の表示データＤｄを出力することにより、表示部１７に抵抗の測定値を表示させる。また、制御部１８は、表示部１７と共に本発明における第１報知部および第２報知部を構成し、遮断部１６によって遮断処理が実行されたときに文字表示用の表示データＤｄを出力することにより、その旨を報知するための文字（例えば、図３に示す「遮断しました」の文字）を表示部１７に表示させる。また、制御部１８は、遮断部１６による第１遮断処理の実行が停止したときに、その旨を報知するための文字（例えば、図５に示す「注意：遮断処理停止中」の文字）を表示部１７に表示させる。
【００２７】
次に、テスタ１を用いて、電圧、電流および抵抗を測定する方法、並びにその際のテスタ１における各部の動作について、図面を参照して説明する。
【００２８】
最初に、図１に示す測定対象体１００ａに対して供給されている電圧Ｖの値を測定する方法について説明する。この場合、測定対象体１００ａには、１００Ｖの交流電圧が供給されているものとする。まず、測定に先立って初期操作を行う。具体的には、同図に示すように、初期状態のテスタ１における本体部２の入力端子１９，１９にプローブ３，３の端子３ａ，３ａを接続する。次いで、操作部１４の電源ボタン２２ａを操作してテスタ１を起動させる。続いて、操作部１４における切替え部２１の操作ダイヤル２１ａを操作（切替え操作）して、本体部２の正面パネルに記載されている電圧測定を示す文字（同図に示す「ＡＣＶ」の文字）の位置に操作ダイヤル２１ａのマークＭを位置合わせする。この際に、切替え部２１が、操作ダイヤル２１ａの操作に応じて、入力端子１９，１９と電圧測定部１１とを接続させる。また、切替え部２１が、モードの切り替え用の操作信号Ｓｏを出力し、制御部１８が、その操作信号Ｓｏに従って測定モードを電圧測定モードに設定する。
【００２９】
続いて、図１に示すように、プローブ３，３の先端部を測定対象体１００ａの所定部位に接触させる。この際に、電圧測定部１１が、測定対象体１００ａに供給されている電圧Ｖ（例えば、交流１００Ｖの電圧Ｖ）をプローブ３，３および入力端子１９，１９を介して入力する。次いで、電圧測定部１１は、入力した電圧Ｖを測定して測定データＤｖを制御部１８に出力する。続いて、制御部１８は、電圧測定部１１から出力された測定データＤｖに基づいて電圧値表示用の表示データＤｄを表示部１７に出力する。これにより、同図に示すように、表示部１７に電圧Ｖの測定値が表示される。
【００３０】
一方、上記した初期操作の際に、電圧測定を意図していたにも拘わらず、操作ダイヤル２１ａの誤操作により、電流測定を示す文字（図３に示す「ＡＣＡ」や「ＤＣＡ」の文字）の位置にマークＭを位置合わせしたときには、切替え部２１が、操作ダイヤル２１ａの操作に応じて、入力端子１９，１９と電流測定部１２とを接続させる。また、切替え部２１が、モードの切り替え用の操作信号Ｓｏを出力し、制御部１８が、その操作信号Ｓｏに従って測定モードを電流測定モードに設定する。また、操作ダイヤル２１ａの誤操作により、抵抗測定を示す文字（同図に示す「Ω」の文字）の位置にマークＭを位置合わせしたときには、切替え部２１が、操作ダイヤル２１ａの操作に応じて、入力端子１９，１９と電圧測定部１１とを接続させると共に、入力端子１９，１９と電源部１３とを接続させる。また、制御部１８が、切替え部２１から出力されたモード切替え用の操作信号Ｓｏに従って測定モードを抵抗測定モードに設定する。
【００３１】
この場合、検出部１５による検出が可能な１０Ｖ以上の電圧Ｖ（この例では１００Ｖ）が測定対象体１００ａに供給されている（本発明における、所定電圧以上の電圧供給状態）。このため、上記したように誤操作によって電流測定モードまたは抵抗測定モードにテスタ１を設定し、使用者がそのことに気付かずにテスタ１の本体部２を測定対象体１００ａに近付けたときには、本体部２の先端部に配設されている検出部１５が、その電圧Ｖを検出して検出信号Ｓｄを出力する。この際に、遮断部１６が、検出信号Ｓｄの入力に応じて入力端子１９，１９と電流測定部１２との接続を遮断する第１遮断処理、または検出信号Ｓｄの入力に応じて入力端子１９，１９と電源部１３との接続を遮断する第２遮断処理を実行する。このため、このテスタ１では、誤操作によってテスタ１が電流測定モードまたは抵抗測定モードに設定されていることを使用者が認識していなかったとしても、過大な電流Ｉが流れることによって電流測定部１２や電源部１３などの内部回路が故障する事態を確実に回避することが可能となっている。
【００３２】
また、遮断部１６は、遮断処理を実行したときに、その旨を示す電気信号Ｓｉを制御部１８に出力する。この際に、制御部１８は、その電気信号Ｓｉの入力に応じて、文字表示用の表示データＤｄを表示部１７に出力する。これにより、図３に示すように、遮断処理が実行された旨を示す「遮断しました」の文字が表示部１７に表示される。この場合、このような報知用の文字が表示されることで、使用者は、電圧測定モードの設定を意図して行った切替え操作の際に、誤操作によってテスタ１が電流測定モードまたは抵抗測定モードに設定されていることを確実に認識することができる。
【００３３】
続いて、図４に示すように、テスタ１を測定対象体１００ａから遠ざけたときには、検出部１５によって所定電圧以上の電圧供給状態が非検出となり、検出部１５からの検出信号Ｓｄの出力が停止する。この際（第１遮断処理または第２遮断処理を実行した後に、検出部１５によって所定電圧以上の電圧供給状態が非検出となったとき）には、遮断部１６は、入力端子１９，１９と電流測定部１２との遮断状態、または入力端子１９，１９と電源部１３との遮断状態を解除して、接続を復帰させると共に、遮断状態を解除した旨を示す電気信号Ｓｉを制御部１８に出力する。これにより、電流測定または抵抗測定が可能な状態に復帰する。また、制御部１８は、遮断部１６から出力された電気信号Ｓｉの入力に応じて、文字表示用の表示データＤｄの出力を停止する。これにより、遮断処理の実行を示す文字表示が停止する。
【００３４】
次に、図５に示すように、１００Ｖの交流電圧が供給されると共に負荷Ｒが接続されている測定対象体１００ｂに流れている電流Ｉの値を測定する方法について説明する。この場合、上記したように電流測定が可能な状態に復帰したテスタ１を用いるときにはそのまま測定を開始し、初期状態のテスタ１を用いるときには、測定に先立って上記した初期操作を行った後に測定を開始する。
【００３５】
ここで、検出部１５による検出が可能な１０Ｖ以上の電圧Ｖ（この例では１００Ｖ）が測定対象体１００ｂに供給されているため、テスタ１を測定対象体１００ｂに近付けたときに、検出部１５が、その電圧Ｖを検出して検出信号Ｓｄを出力し、遮断部１６が、検出信号Ｓｄの入力に応じて上記した第１遮断処理を実行すると共に、その旨を示す電気信号Ｓｉを制御部１８に出力する。次いで、制御部１８が電気信号Ｓｉの入力に応じて文字表示用の表示データＤｄを出力することにより、第１遮断処理の実行を示す文字が表示部１７に表示される。これにより、使用者は、測定対象体１００に所定電圧以上の電圧Ｖが供給されていることを認識することができる。
【００３６】
この場合、負荷Ｒが接続されているため測定対象体１００ｂに過大な電流Ｉが流れていないことを使用者が確認しており、電流測定を継続するときには、操作部１４の解除ボタン２２ｂを操作する（本発明における所定の指示操作）。この際に、操作部１４が解除ボタン２２ｂに対応する操作信号Ｓｏを出力し、これに応じて、遮断部１６が入力端子１９，１９と電流測定部１２との遮断状態を解除して両者の接続を復帰させると共に、第１遮断処理の実行を停止する。このため、テスタ１を測定対象体１００ｂに近付けた状態が継続したとしても、第１遮断処理が実行されることなく、電流測定が可能な状態にテスタ１が維持される。また、遮断部１６は、第１遮断処理の実行の停止を行ったときに、その旨を示す電気信号Ｓｉを制御部１８に出力する。この際に、制御部１８は、その電気信号Ｓｉの入力に応じて、文字表示用の表示データＤｄを表示部１７に出力する。これにより、上記した第１遮断処理の実行を示す文字に代えて、図５に示すように、第１遮断処理の実行が停止している旨を示す文字が表示部１７に表示される。
【００３７】
次いで、図５に示すように、プローブ３，３の先端部を測定対象体１００ｂの所定部位に接触させる。この際に、電流測定部１２が、測定対象体１００ｂに流れている電流Ｉをプローブ３，３および入力端子１９，１９を介して入力する。続いて、電流測定部１２は、入力した電流Ｉを測定して測定データＤｉを制御部１８に出力する。次いで、制御部１８は、電流測定部１２から出力された測定データＤｉに基づいて電流値表示用の表示データＤｄを表示部１７に出力する。これにより、表示部１７に電流Ｉの測定値が表示される。この場合、遮断部１６は、操作ダイヤル２１ａまたは解除ボタン２２ｂの再操作が行われるまで、第１遮断処理の実行の停止を継続し、これらの再操作が行われたときには、所定電圧以上の電圧供給状態が検出されたときに第１遮断処理を実行する通常状態に復帰する。
【００３８】
次に、測定対象体１００ｃの抵抗の値を測定する方法について説明する。この場合、上記したように抵抗測定が可能な状態に復帰したテスタ１を用いるときにはそのまま測定を開始し、初期状態のテスタ１を用いるときには、上記した初期操作を行った後に測定を開始する。具体的には、図６に示すように、プローブ３，３の先端部を測定対象体１００ｃの所定部位に接触させる。この際に、電源部１３から出力されている測定用の定電流Ｉｍが測定対象体１００ｃに供給され、その定電流Ｉｍの供給に伴って測定対象体１００ｃの両端間（プローブ３，３の間）に発生する電圧Ｖを電圧測定部１１がプローブ３，３および入力端子１９，１９を介して入力する。続いて、電圧測定部１１は、入力した電圧Ｖを測定して測定データＤｖを制御部１８に出力する。次いで、制御部１８は、電圧測定部１１から出力された測定データＤｖと測定用の定電流Ｉｍの値とに基づいて抵抗を演算すると共に、抵抗値表示用の表示データＤｄを表示部１７に出力する。これにより、同図に示すように、表示部１７に抵抗の測定値が表示される。
【００３９】
一方、図７に示すように、測定対象体１００ｃに電圧Ｖが供給されている状態において、抵抗測定モードに設定されているテスタ１を測定対象体１００ｃに近付けたときには、検出部１５が、検出信号Ｓｄを出力し、遮断部１６が、上記した第２遮断処理を実行すると共に第２遮断処理の実行を示す電気信号Ｓｉを出力する。このため、このテスタ１では、抵抗測定モードに設定されている状態において、過大な電圧が印加されることによって電源部１３などの内部回路が故障する事態を確実に回避することが可能となっている。続いて、制御部１８は、遮断部１６から出力された電気信号Ｓｉの入力に応じて文字表示用の表示データＤｄを出力することにより、同図に示すように、第２遮断処理が実行された旨を示す文字を表示部１７に表示させる。これにより、使用者は、測定対象体１００ｃに電圧Ｖが供給されている旨を認識することができる。
【００４０】
次いで、テスタ１を測定対象体１００ｃから遠ざけたときには、検出部１５によって所定電圧以上の電圧供給状態が非検出となり、検出部１５からの検出信号Ｓｄの出力が停止する。この際には、遮断部１６は、入力端子１９，１９と電源部１３との遮断状態を解除して、両者の接続を再開すると共に、遮断状態を解除した旨を示す電気信号Ｓｉを制御部１８に出力する。これにより、抵抗測定が可能な状態に復帰すると共に、第２遮断処理が実行された旨を示す文字表示が停止する。
【００４１】
このように、このテスタ１によれば、入力端子１９，１９と電流測定部１２とを接続している状態において測定対象体１００に対する所定電圧以上の電圧供給状態が検出されたときに入力端子１９，１９と電流測定部１２との接続を遮断する第１遮断処理を実行することにより、例えば、電圧測定を意図していたにも拘わらず誤操作によってテスタ１を電流測定モードに設定した使用者が、そのことを認識していなかったとしても、所定電圧以上の電圧が供給されている測定対象体１００にそのテスタ１を近付けた際に入力端子１９，１９と電流測定部１２との接続を自動的にしかも確実に遮断させることができる。したがって、このテスタ１によれば、このような誤操作を行ったとしても、過大な電流Ｉが流れることによって電流測定部１２が故障する事態を確実に防止することができる。
【００４２】
また、このテスタ１によれば、遮断部１６によって第１遮断処理が実行されたときにその旨を報知することにより、例えば、電圧測定モードの設定を意図して行った切替え操作の際に、誤って電流測定モードに設定した使用者に対して、その旨を確実に認識させることができる。また、テスタ１を電流測定モードまたは抵抗測定モードに設定した状態において、所定電圧以上の電圧Ｖが測定対象体１００に供給されている旨を使用者に対して確実に認識させることができる。
【００４３】
また、このテスタ１によれば、第１遮断処理を実行した後に検出部１５によって所定電圧以上の電圧供給状態が非検出となったときに入力端子１９，１９と電流測定部１２との接続を復帰させることにより、特別な操作を行うことなくテスタ１（本体部２）を測定対象体１００から遠ざけるだけで両者の接続を復帰させて電流測定を再開することができるため、操作性を十分に向上させることができる。
【００４４】
さらに、このテスタ１によれば、第１遮断処理を実行した後に解除ボタン２２ｂが操作されたときに入力端子１９，１９と電流測定部１２との接続を復帰させると共に第１遮断処理の実行を停止することにより、解除ボタン２２ｂを操作することで、所定電圧以上の電圧が供給されている測定対象体１００に流れる電流を測定することができる。
【００４５】
また、このテスタ１によれば、入力端子１９，１９と電源部１３とを接続している状態において測定対象体１００に対する所定電圧以上の電圧供給状態が検出されたときに入力端子１９，１９と電源部１３との接続を遮断する第２遮断処理を実行することにより、例えば、電圧測定を意図していたにも拘わらず誤操作によってテスタ１を抵抗測定モードに設定した使用者が、そのことを認識していなかったり、抵抗測定を意図してテスタ１を抵抗測定モードに設定した使用者が、測定対象体１００に電圧が供給されていることを認識していなかったりしたとしても、所定電圧以上の電圧が供給されている測定対象体１００にそのテスタ１を近付けた際に入力端子１９，１９と電源部１３との接続を自動的にしかも確実に遮断させることができる。したがって、このテスタ１によれば、このような状況において、過大な電流Ｉが流れることによって電源部１３が故障する事態を確実に防止することができる。
【００４６】
また、このテスタ１によれば、遮断部１６によって第２遮断処理が実行されたときにその旨を報知することにより、例えば、電圧測定モードの設定を意図して行った切替え操作の際に、誤って抵抗測定モードに設定した使用者に対して、その旨を確実に認識させることができる。また、テスタ１を抵抗測定モードに設定した状態において、所定電圧以上の電圧Ｖが測定対象体１００に供給されている旨を使用者に対して確実に認識させることができる。
【００４７】
また、このテスタ１によれば、第２遮断処理を実行した後に検出部１５によって所定電圧以上の電圧供給状態が非検出となったときに入力端子１９，１９と電源部１３との接続を復帰させることにより、特別な操作を行うことなくテスタ１（本体部２）を測定対象体１００から遠ざけるだけで両者の接続を復帰させて抵抗測定を再開することができるため、操作性を十分に向上させることができる。
【００４８】
なお、本発明は、上記した構成に限定されない。例えば、所定電圧以上の電圧としての１０Ｖ以上の電圧Ｖが供給されているときに検出部１５がその電圧Ｖを検出する例について上記したが、所定電圧は任意に規定することができる。また、検出部１５が検出可能な所定電圧の値（つまり、検出部１５の感度）を任意に変更可能な構成を採用することもできる。また、報知用の文字を表示部１７に表示することによって第１遮断処理が実行された旨を報知する構成例について上記したが、報知部の構成はこれに限定されず、例えば、音声の出力やランプの点灯によって第１遮断処理が実行された旨を報知する構成を採用することもできる。また、音声の出力やランプの点灯と、報知用の文字表示との両者を行う構成を採用することもできる。また、遮断部１６を入力端子１９，１９と切替え部２１との間に配置した例について上記したが、切替え部２１と電流測定部１２との間、および切替え部２１と電源部１３との間に遮断部１６を配置する構成を採用することもできる。さらに、電源部１３が抵抗測定用信号としての定電流Ｉｍを出力する例について上記したが、抵抗測定用信号としては、必ずしも定電流である必要はなく、非定電流（値が一定でない電流）や電圧を出力する構成を採用することもできる。また、本体部２の先端部に検出部１５を配設した例について上記したが、検出部１５の配設位置は、これに限定されず、任意に規定することができる。また、プローブ３の内部に検出部１５を配設する構成を採用することもできる。
【図面の簡単な説明】
【００４９】
【図１】テスタ１の構成を示す平面図である。
【図２】テスタ１の構成を示すブロック図である。
【図３】テスタ１の使用方法を説明するための第１の説明図である。
【図４】テスタ１の使用方法を説明するための第２の説明図である。
【図５】テスタ１の使用方法を説明するための第３の説明図である。
【図６】テスタ１の使用方法を説明するための第４の説明図である。
【図７】テスタ１の使用方法を説明するための第５の説明図である。
【符号の説明】
【００５０】
１  テスタ
１１  電圧測定部
１２  電流測定部
１３  電源部
１５  検出部
１６  遮断部
１７  表示部
１８  制御部
１９  入力端子
２１  切替え部
２１ａ  操作ダイヤル
２２ｂ  解除ボタン
１００  測定対象体
Ｄｖ  測定データ
Ｄｉ  測定データ
Ｉ  電流
Ｉｍ  定電流
Ｓｄ  検出信号
Ｖ  電圧
【図１】
0005133099.tif 000002
【図２】
0005133099.tif 000003
【図３】
0005133099.tif 000004
【図４】
0005133099.tif 000005
【図５】
0005133099.tif 000006
【図６】
0005133099.tif 000007
【図７】
0005133099.tif 000008